(57)【特許請求の範囲】
【請求項１】
映像信号からノイズを取り除く映像信号処理回路において、
前記映像信号に１フレーム前の映像信号を一定の帰還係数で帰還させるフレーム巡回型フィルタと、
前記映像信号に含まれるカラーバースト信号の位相にロックし、該カラーバースト信号の周波数を逓倍したクロック信号を形成するクロックジェネレータと、
前記クロック信号の発生毎に、カラーバースト信号区間において前記カラーバースト信号をラッチし、該ラッチして得られたラッチ値に対応する前記帰還係数を設定するカラーバースト劣化検出部とを備えることを特徴とする映像信号処理回路。
【請求項２】
前記カラーバースト劣化検出部は、前記クロック信号の発生毎に得られた前記ラッチ値の変化の絶対値を求め、該絶対値を加算した加算値と、予め劣化のないカラーバースト信号について求めた加算値の標準値との差を算出し、該差の大きさを前記映像信号の劣化度合いとして前記帰還係数を設定することを特徴とする請求項１に記載の映像信号処理回路。
【請求項３】
前記カラーバースト劣化検出部は、前記クロック信号の発生毎に得られた前記ラッチ値の変化の絶対値を求め、該絶対値のうちの最大値と、予め劣化のないカラーバースト信号について求めた最大値の標準値との差を算出し、該差の大きさを前記映像信号の劣化度合いとして前記帰還係数を設定することを特徴とする請求項１に記載の映像信号処理回路。
【請求項４】
前記カラーバースト劣化検出部は、前記クロック信号の発生毎に得られた前記ラッチ値の変化の絶対値を求め、該絶対値のうちの最小値と、予め劣化のないカラーバースト信号について求めた最小値の標準値との差を算出し、該差の大きさを前記映像信号の劣化度合いとして前記帰還係数を設定することを特徴とする請求項１に記載の映像信号処理回路。
【請求項５】
前記カラーバースト劣化検出部は、前記クロック信号の発生毎に得られた前記ラッチ値を求め、該ラッチ値のうちの最大値と、予め劣化のないカラーバースト信号について求めたラッチ値の標準値との差を算出し、該差の大きさを前記映像信号の劣化度合いとして前記帰還係数を設定することを特徴とする請求項１に記載の映像信号処理回路。
【請求項６】
前記カラーバースト劣化検出部は、前記クロック信号の発生毎に得られた前記ラッチ値を求め、該ラッチ値のうちの最小値と、予め劣化のないカラーバースト信号について求めたラッチ値の標準値との差を算出し、該差の大きさを前記映像信号の劣化度合いとして前記帰還係数を設定することを特徴とする請求項１に記載の映像信号処理回路。
【請求項７】
前記カラーバースト劣化検出部は、前記クロック信号の発生毎に得られた前記ラッチ値が所定の閾値以上であるラッチ数と、予め劣化のないカラーバースト信号についてラッチして得られたラッチの標準数との差を算出し、該差の大きさを前記映像信号の劣化度合いとして前記帰還係数を設定することを特徴とする請求項１に記載の映像信号処理回路。
【請求項８】
前記カラーバースト劣化検出部は、前記クロック信号の発生毎に得られた前記ラッチ値が所定の閾値以下であるラッチ数と、予め劣化のないカラーバースト信号についてラッチして得られたラッチの標準数との差を算出し、該差の大きさを前記映像信号の劣化度合いとして前記帰還係数を設定することを特徴とする請求項１に記載の映像信号処理回路。
【請求項９】
前記カラーバースト劣化検出部は、前記クロックジェネレータからの前記クロック信号をカウントして前記カラーバースト信号の挿入時間を求め、該挿入時間の間において前記クロック信号の発生毎に得られた前記ラッチ値を加算し、加算されたラッチ値を前記挿入時間で割って求めた平均値と、予め劣化のないカラーバースト信号についてラッチして得られたラッチ値から求めた平均値の標準値との差を算出し、該差の大きさを前記映像信号の劣化度合いとして前記帰還係数を設定することを特徴とする請求項１に記載の映像信号処理回路。
【請求項１０】
前記カラーバースト劣化検出部は、前記クロック信号の発生毎に得られた前記ラッチ値がペデスタルレベルと一致する数と、予め劣化のないカラーバースト信号についてラッチして得られたラッチ値が該ペデスタルレベルと一致する数の標準数との差を算出し、該差の大きさを前記映像信号の劣化度合いとして前記帰還係数を設定することを特徴とする請求項１に記載の映像信号処理回路。
【請求項１１】
前記クロックジェネレータは、前記カラーバ−スト信号の周波数の４逓倍のクロック信号を生成することを特徴とする請求項１乃至１０のいずれか一項に記載の映像信号処理回路。
【請求項１２】
前記カラーバースト劣化検出部は、前記映像信号における過去の複数の水平走査期間で得られた前記カラーバースト信号をラッチして得られた前記ラッチ値を含めて、今回の水平走査期間における前記映像信号の劣化度合いを求め、前記帰還係数を設定することを特徴とする請求項１に記載の映像信号処理回路。
【請求項１３】
前記カラーバースト劣化検出部は、前記映像信号における今回と前回の各水平走査期間で求めた該映像信号の劣化度合いの差を算出し、該差の大きさを前記映像信号の新たな劣化度合いとして前記帰還係数を設定することを特徴とする請求項１に記載の映像信号処理回路。
【発明の詳細な説明】
【０００１】
【発明の属する技術分野】
本発明は移動体に搭載されるテレビジョン受信機の映像信号処理回路に関し、特に、映像（ビデオ）信号から急峻なノイズを除去することができるノイズリダクション回路に関する。
【０００２】
【従来の技術】
図３０は従来のノイズリダクション回路の概略を説明する図である。本図に示す如く、ノイズリダクション回路は入力テレビジョン（ＴＶ）信号の振幅を１−Ｋ倍する乗算器１と、１フレームだけ遅延した入力テレビジョン信号の振幅をＫ倍にする乗算器２と、乗算器１及び２の出力を加算して出力テレビジョン（ＴＶ）信号ン号を形成する加算器３と、加算器３の出力データを１フレーム遅延して遅延信号を乗算器２に出力するフレームメモリ４と、乗算器１に乗算係数１−Ｋを、乗算器２に乗算係数Ｋを設定する映像劣化検出部５とを具備する。このように、ノイズリダクション回路はフレーム巡回型フィルタによる適応制御が行われる。ここに、Ｋは帰還係数と呼ばれ、０≦Ｋ＜１である。
【０００３】
現行のＮＴＳＣ（アメリカの全国ＴＶ方式委員会）方式のテレビジョン信号はフレーム間の相関が非常に高いことで知られている。一方ノイズは相関が無くランダムな信号と考えられている。このため、上記のノイズリダクション回路によりＳ／Ｎを大幅に改善できる。理論的なＳ／Ｎの改善は以下の通りである。
理論的Ｓ／Ｎ改善度＝１０・ｌｏｇ｛（１＋Ｋ）／（１−Ｋ）｝  （ｄＢ）
次に、ノイズリダクション回路の映像劣化検出回路５について説明する。
【０００４】
図３１は１つの水平走査を行う期間のテレビジョン信号を説明する図である。本図に示す如く、１水平走査期間のテレビジョン信号は、主として、水平同期信号、９サイクル程度のカラーバ−スト信号、映像（ビデオ）信号からなる。
ＡＧＣ（自動利得回路）（図示しない）は同期信号のレベルをモニタして、同期信号のレベルの高低により受信信号の電界強度の強弱を検出して高周波段（ＩＦ段又はＲＦ段）の増幅器の利得を制御している。映像劣化検出部５はＡＧＣの制御信号を利用して受信信号の電界の強弱により帰還係数Ｋを制御する。すなわち、電界強度が小さい場合にはノイズが多いと予想されるので帰還係数を大きくし、逆に電界強度が大きい場合にはノイズが少ないと予想されるので帰還係数を小さくする。
【０００５】
なお、帰還係数Ｋが大きいと残像が生じるので、ノイズが無い場合には帰還係数Ｋ＝０としている。
【０００６】
【発明が解決しようとする課題】
しかしながら、上記ＡＧＣでは、同期信号のレベルを低域通過フィルタ（ＬＰＦ）を経由させて平滑化して制御の安定化を行っているので、急峻なノイズに対して時間遅れが生じるという問題がある。すなわち、移動体は環境の変化により電界強度の急峻な変化を受けることがあり、乗算係数１−Ｋ及びＫを乗算器１及び２にそれぞれ設定したときには、映像信号が乗算器１及び２を通過してしまい、信号処理の応答遅れが発生する。
【０００７】
また、マルチパス発生時には、周波数の低い同期信号のレベルに変化が少なく、周波数の高い映像信号のレベルが大きく劣化し、特にカラーバ−スト信号付近のみ劣化する場合には正確に、乗算係数１−Ｋ及びＫを乗算器１及び２に設定することができず、誤差が発生するという問題がある。
したがって、本発明は、上記問題点に鑑み、受信信号の電界強度の急峻な変化に対して信号処理の応答遅れが無く且つマルチパス発生時に正確な帰還係数を決定することができる映像信号処理回路を提供することを目的とする。
【０００８】
【課題を解決するための手段】
本発明は、前記問題点を解決するために、映像信号からノイズを取り除く映像信号処理回路において、該映像信号に１フレーム前の映像信号を一定の帰還係数で帰還させるフレーム巡回型フィルタと、該映像信号に含まれるカラーバースト信号の位相にロックし、該カラーバースト信号の周波数を逓倍したクロック信号を形成するクロックジェネレータと、該クロック信号の発生毎に、カラーバースト信号区間において該カラーバースト信号をラッチし、該ラッチして得られたラッチ値に対応する前記帰還係数を設定するカラーバースト劣化検出部とを備えることを特徴とする映像信号処理回路を提供する。
【０００９】
この手段により、カラーバースト信号による劣化度合を水平走査を行う前にフレーム巡回型フィルタに帰還係数を設定するようにしたので、従来のようにフレーム巡回型フィルタを映像信号が通過した後に帰還係数を設定するような応答遅れが無くなる。
さらに、カラーバースト信号の劣化は映像信号の劣化と密接に関連しているので、マルチパスによりカラーバースト信号に劣化があれば帰還係数の制御が行われ、従来と比較して帰還係数設定の正確性が向上する。特に、色副搬送波に劣化がある場合には従来と比較して正確性の改善性が高くなる。
【００１０】
【発明の実施の形態】
以下本発明の実施の形態について図面を参照して説明する。
図１は本発明に係る映像信号処理回路の概略を説明する図である。本図に示すノイズリダクション回路においてはフレーム巡回型フィルタ自体は図３０の構成と同一である。入力テレビジョン信号を入力するペデスタルクランプ５、ペデスタルクランプ６と乗算器１との間に接続されるＡ／Ｄ（アナログデジタル）変換器６、加算器３の出力に接続されて出力テレビジョン信号を形成するＤ／Ａ（デジタルアナログ）変換器７が設けられるが、これらは図３０でも設けられており説明のため省略されているだけである。
【００１１】
入力テレビジョン信号を入力するクロックジェネレータ８は周波数（Ｆsc）３．５８ＭＨｚ（色副搬送波の周波数）のカラーバースト信号の位相にロックした４逓倍（４Ｆsc）のクロック信号を形成する。なお、カラーバースト信号は、通常、平衡変調された色度信号を再生するためペデスタルレベルにかつ映像信号の前縁に一定の振幅の正弦波が９サイクル程度のせてある。
【００１２】
入力テレビジョン信号を入力する同期分離部９は同期信号を分離して同期信号のタイミングに基づいてバーストゲートパルス、クランプパルスを形成する。このクランプパルスはベデスタルクランプ５に出力される。
カラーバースト劣化検出部１０は図３０の映像劣化検出部５に代わるものであり、Ａ／Ｄ変換器６からその出力データ（ＡＤデータ）を分岐し入力し、クロックジェネレータ８からクロック信号を入力し、同期分離部９からバーストゲートパルスを入力してカラーバースト信号の振幅変化によりカラーバースト信号の劣化を検出する。カラーバースト劣化検出部１０はカラーバースト信号の劣化の程度に基づいてこのカラーバースト信号に続く１つの水平走査期間内の映像信号に対して乗算器１及び２へ設定すべき乗算係数１−Ｋ、Ｋを決定する。
【００１３】
図２は入力テレビジョン信号に対するクランプパルス及びバーストゲートパルスを説明する図である。本図に示す如く、同期分離部９は同期信号を分離すると、カラーバースト信号を抜き出すためのバーストゲートパルスとペデスタルレベルを一定にするためのクランプパルスとを形成する。なお、カラーバースト信号は同期信号の直後に立ち上がり、映像信号の直前で立ち下がる。カラーバースト劣化検出部１０は同期分離部９から得たバーストゲートパルスに基づいてＡ／Ｄ変換器６の分岐信号からカラーバースト信号だけを抜き出して、後述の如く、カラーバースト信号の劣化を検出する。
【００１４】
図３はペデスタルクランプ５の動作を説明する図である。本図に示す如く、ペデスタルクランプ５は同期分離部９から得たクランプパルスに基づいてカラーバスト信号及び映像信号の直流電圧レベルであるペデスタルレベルを一定にする。この場合、ペデスタルレベルは映像信号に対して黒色を示す。
図４はカラーバースト劣化検出部１０においてクロックジェネレータ８によるクロック信号でカラーバースト信号をラッチするポイントを説明する図である。本図に示す如く、カラーバースト劣化検出部１０では、クロック信号の周波数（４Ｆsc）はカラーバースト信号（Ｆsc）の４倍になっているので、カラーバースト信号の１つの正弦波においてπ／４毎にカラーバースト信号の振幅のラッチが行われる。すなわち、カラーバースト信号は通常時０．２８６Ｖppと規定されているため、Ａ／Ｄ変換後のデータもペデスタルレベル、最大値、ペデスタルレベル、最小値と繰り返しラッチされる。映像データが劣化すれば当然上記レベル（ペデスタルレベル、最大値、最小値）も変動することが予想される。すなわち、カラーバースト信号の劣化がその振幅の変動に出現する現象に先ず着目する。かくして、カラーバースト劣化検出部１０では、カラーバースト信号の劣化度合いを検出することにより、劣化度合いが大きいほどフレーム巡回型フィルタの帰還係数Ｋを大きくなるように設定が行われる。フレーム巡回型フィルタではカラーバースト劣化検出部１０により帰還係数の設定が行われると、この帰還係数を用いてカラーバースト信号に続く映像信号のノイズリダクションを行うため最適制御が行われる。
【００１５】
なお、クロック信号の周波数をカラーバースト信号の周波数（Ｆsc）の２逓倍して、π／２毎にラッチしてカラーバースト信号をラッチしてカラーバースト信号の劣化を検出するようにしてもよい。
このようにして直接的にカラーバースト信号の劣化を検出して、このカラーバースト信号に続く１つの水平走査期間の映像信号に対して、帰還係数Ｋを設定するようにしたので、従来のような遅れが無くなり、映像信号がフレーム巡回型フィルタを通過する前に帰還係数Ｋを設定することが可能になり、急峻なノイズの低減効果が向上するようになった。また、マルチパス発生時に映像信号に急峻なノイズがあるとカラーバースト信号の劣化が検出されるので、映像信号の劣化を正確に検出することが可能になる。特にカラーバースト信号の周波数付近（周波数帯域３．５８ＭＨｚ）に急峻なノイズがある場合には非常に有効である。
【００１６】
図５は図１のカラーバースト劣化検出部１０の具体的な構成例を説明する図であり、図６は図１の構成の動作を説明するタイミングチャートである。図５に示すカラーバースト劣化検出部１０は、図６に示す如く、クロック信号（４Ｆsc）毎にＡ／Ｄ変換器６のＡＤデータＡをラッチするラッチ１０１と、ラッチ１０１で１クロック遅延された遅延データＢとＡＤデ−タＡとを入力してこれらの差の絶対値Ｃ＝｜Ａ−Ｂ｜を算出する絶対値差形成部１０２と、絶対値差形成部１０２の結果Ｃをクロック信号毎に加算しバーストゲートパルスの立ち上がりで加算結果をクリアする加算部１０３と、バーストゲートパルスの立ち下がりで加算部１０３の出力データを最終的に確定するためにラッチして出力データＺを出力するラッチ１０４と、バーストゲートパルスの立ち下がり時にラッチ１０４にラッチを行わさせるためにバーストゲートパルスを反転させる反転器１０５と、予め出力データＺに応じ乗算係数１及び２の乗算係数１−Ｋ、Ｋを格納するＲＯＭ(Read Only Memory)からなりラッチ１０４の出力データＺに応じ乗算係数１及び２に乗算係数１−Ｋ、Ｋをそれぞれ出力する係数記憶部１２０とを具備する。
【００１７】
図７はラッチ１０４の出力データＺと帰還係数Ｋとの関係を説明する図である。図７（ａ）に示す如く、カラーバースト信号に劣化が無い場合（図７（ｂ））の出力Ｚ＝Ｚｏで帰還係数Ｋ＝０とし、カラーバースト信号に劣化が生じて（図７（ｃ）、（ｄ））出力データＺがＺｏよりも大きくなったり小さくなったりすると、係数記憶部１２０の帰還係数Ｋが大きくなる。
【００１８】
このように、バーストゲートパルス内でカラーバースト信号の劣化をクロック毎に加算し（この場合、９サイクル分の加算）、カラーバースト信号の急激な変化が平滑化し、これに伴って帰還係数Ｋが決定されるので、帰還係数Ｋの変化が安定する。ノイズ効果を抑制して、残像が気になるユーザに向くようにした。
図８は図５の変形例を説明する図である。本図に示す如く、図５の加算部１０３に代わり、さらに、絶対値差形成部１０２の今回の結果Ｃ＝｜Ａ−Ｂ｜を前回の結果Ｄと比較しＣ＞Ｄならば論理信号「１」を出力しＣ≦Ｄならば論理信号「０」を出力する比較部１０６と、比較部１０６の論理信号「１」で絶対値差形成部１０２の今回の結果Ｃを選択し論理信号「０」で前回の結果Ｄを選択するスイッチ部１０７と、スイッチ部１０７の出力データを入力して１クロックだけ遅延して前回の結果Ｄを形成してその出力をラッチ１０４に出力するラッチ１０８を具備する。
【００１９】
なお、スイッチ部１０７が倫理信号「０」で切り換えられると、ラッチ１０８の出力と入力とが接続されてラッチ１０８のラッチデータは変更されない。また、バーストゲートパルスの立ち上がりでラッチ１０８がクリアされる。
図９は図８のラッチ１０４の出力データＺを説明する図である。本図に示す如く、カラーバースト信号の劣化の最大時のラッチ１０４の出力データＺが係数記憶部１２０に出力される。この出力データＺが標準値Ｚｏよりも大きくなるにしたがって係数記憶部１２０の帰還係数が大きくなる。このようにノイズ除去に重点を置くようにして（図７とは逆に）、残像よりもノイズが気になるユーザに向くようにしてもよい。
【００２０】
図１０は図８の変形例を説明する図である。本図において、図８と異なる構成は、比較部１０６である。すなわち、比較部１０６は、絶対値差形成部１０２の今回の結果Ｃ＝｜Ａ−Ｂ｜を前回の結果Ｄと比較しＣ＜Ｄならば論理信号「１」を出力しＣ≧≦Ｄならば論理信号「０」を出力する。
図１１は図１０のラッチ１０４の出力データＺを説明する図である。本図に示す如く、カラーバースト信号の劣化の最小時のラッチ１０４の出力データＺが係数記憶部１２０に出力される。この出力データＺが標準値Ｚｏよりも小さくなるにしたがって係数記憶部１２０の帰還係数が大きくなる。このようにノイズ除去に重点を置くようにして（図７とは逆に）、残像よりもノイズが気になるユーザに向くようにしてもよい。
【００２１】
図１２は図８の変形例を説明する図である。本図においては、図８のラッチ１０１及び絶対値差形成部１０２を取り除き、比較部１０６はクロック信号毎にＡ／Ｄ変換器６の分岐した今回のＡＤデータＣと前回のＡＤデータＤとを比較しＣ＞Ｄならば論理信号「１」を出力しＣ≦Ｄならば論理信号「０」を出力する。本構成のその他の部分は図８と全く同一であるので説明を省略する。
【００２２】
図１３は図１２のラッチ１０４の出力データＺを説明する図である。本図に示す如く、バーストゲートパルス期間のＡＤデータの最大時のラッチ１０４の出力データＺが係数記憶１２０に出力される。この出力データＺが標準値ＺｏH （後述する）よりも大きくなるにしたがって係数記憶部１２０の帰還係数Ｋが大きくなる。図８の例と比較して構成を簡単化することができる。
【００２３】
図１４は図１２の変形例を説明する図である。本図において、図１２と異なる構成は比較部１０６である。すなわち、比較部１０６は、クロック信号毎にＡ／Ｄ変換器６の分岐した今回のＡＤデータＣと前回のＡＤデータＤとを比較しＣ＜Ｄならば論理信号「１」を出力しＣ≧Ｄならば論理信号「０」を出力する。
図１５は図１４のラッチ１０４の出力データＺを説明する図である。本図に示す如く、バーストゲートパルス期間のＡＤデータの最小時のラッチ１０４の出力データＺが係数記憶１２０に出力される。出力データＺが標準値ＺｏL （後述する）よりも小さくなるにしたがって係数記憶部１２０の帰還係数が大きくなる。図８の例と比較して構成を簡単化することができる。
【００２４】
図１６は図１３及び図１５の標準値ＺoH及びＺoLを説明する図である。本図に示す如く、Ｚ＞ＺｏH （標準値）又はＺ＜ＺｏL （標準値）ではＺが標準値からずれにるにしたがって帰還係数Ｋが大きくなり、ＺｏL ≦Ｚ≦ＺｏH では帰還係数Ｋ＝０である。
図１７は図５のカラーバースト劣化検出部１０の具体的な別の構成例を説明する図であり、図１８は図１７のラッチ１０４の出力データを説明する図である。図１７の構成では、図５の説明で用いたラッチ１０４、反転器１０５、係数記憶部１２０の構成をそのままにして残し、他の構成を新たに比較部１０９及びカウンタ１１０に代えた。図１８に示す如く、比較部１０９はＡ／Ｄ変換器６のＡＤデータＡを入力して閾値レベルＢと比較しＡ＞Ｂならぶ論理「１」信号を出力し、Ａ≦Ｂならば論理「０」信号を出力する。カウンタ１１０はクロック信号（４Ｆsc）を入力し、比較部１０９から論理「１」信号を入力したらクロック信号をカウントする。カウンタ１１０のカウント数はバーストゲートパルスの立ち上がりでクリアされ、カウンタ１１０からのカウント数はラッチ１０４でバーストゲートパルスの立ち下がりでラッチ１０４されて最終的に確定される。ラッチ１０４の出力データＡが標準値Ｚｏから大きくなるにしたがって係数記憶部１２０の帰還係数Ｋが大きくなる。
【００２５】
図１９は図１７の変形例を説明する図であり、図２０は図１９のラッチ１０４の出力データＺを説明する図である。図１９において、図１７と異なるのは比較部１０９である。図２０に示す如く、比較部１０９はＡ／Ｄ変換器６のＡＤデータＡを入力して閾値レベルＢと比較しＡ＜Ｂならぶ論理「１」信号を出力し、Ａ≧Ｂならば論理「０」信号を出力する。カウンタ１１０はクロック信号（４Ｆsc）を入力し、比較部１０９から論理「１」信号を入力したらクロック信号をカウントする。カウンタ１１０のカウント数はバーストゲートパルスの立ち上がりでクリアされ、カウンタ１１０からのカウント数はラッチ１０４でバーストゲートパルスの立ち下がりでラッチされて最終的に確定される。ラッチ１０４の出力データＺが標準値Ｚｏから小さくなるにしたがって係数記憶部１２０の帰還係数Ｋが大きくなる。
【００２６】
図２１は図１のカラーバースト劣化検出部１０の具体的な別の構成例を説明する図である。本図の構成では、図５の説明で用いたラッチ１０４、反転器１０５、係数記憶部１２０の構成をそのままにして残し、他の構成を新たに加算器１１１、ラッチ１１２、カウンタ１１３及び除算器１１４に代えた。加算器１１１にＡ／Ｄ変換器６からのＡＤデータが入力する。加算器１１１の出力にラッチ１１２が接続されラッチ１１１の出力が加算器１１１でＡ／Ｄ変換器６からのＡＤデータに加算され、ラッチ１１１の出力データＡはＡ／Ｄ変換器６からのＡＤデータの積分値となる。カウンタ１１３はクロック信号（４Ｆsc）をカウントしてカウント数Ｂを出力する。除算器１１４はラッチ１１１の出力データＡをカウンタ１１３のカウント数ＢでわりＡ／Ｂをラッチ１０４に出力する。なお、ラッチ１１２及びカウンタ１１３はバーストゲートパルスの立ち上がりでクリアされる。
【００２７】
すなわち、ラッチ１０４の出力データＺがカラーバースト信号の振幅の平均値を示す。除算器１１４からの平均値はラッチ１０４でバーストゲートパルスの立ち下がりでラッチされて最終的に確定される。ラッチ１０４の出力データＺが標準値Ｚｏからずれるにしたがって係数記憶部１２０の帰還係数Ｋが大きくなる。
図２２は図１７の変形例を説明する図であり、図２３は図１８のラッチ１０４の出力データを説明する図である。図２２において、図１７と異なるのは比較部１０９である。図２３に示す如く、比較部１０９はＡ／Ｄ変換部６からのＡＤデータＡとペデスタルレベルＢと比較しＡ＝Ｂならば論理「１」信号を出力し、Ａ≠Ｂならば論理「０」信号を出力する。カウンタ１１０は比較部１０９から論理「１」信号があるとクロック信号をカウントする。クロック信号は前述の如くカラーバースト信号に位相ロックされ且つ逓倍されて得られるので、論理「１」信号とタイミング的には一致する。このようにしてカラーバースト信号がペデスタルレベルと交差する回数がカウントされる。しかし、カラーバースト信号が劣化すると、論理「１」信号とクロック信号は一致しなくなる。
【００２８】
カウンタ１１０のカウント数はバーストゲートパルスの立ち上がりでクリアされ、カウンタ１１０からのカウント数はラッチ１０４でバーストゲートパルスの立ち下がりでラッチされて最終的に確定される。ラッチ１０４の出力データＺが標準値Ｚｏから小さくなるにしたがって係数記憶部１２０の帰還係数Ｋが大きくなる。
【００２９】
次に、本願の発明を複数の水平走査期間に適用する例について説明する。
図２４は複数の水平走査期間のテレビジョン信号を示す図である。本図に示す如く、過去の水平走査期間のカラーバースト信号の劣化を影響を考慮して今回のカラーバースト信号の劣化を検出する。この検出により帰還係数Ｋの設定を滑らかに行うためである。
【００３０】
図２５は本発明に係る、複数の水平走査期間でカラーバースト信号の劣化を検出する例を示す図である。本図に示す如く、図５、１７、１９、２１及び２２の各々のラッチ１０４に複数（Ｎ個）のラッチ２００が直列に接続される。ラッチ２００の各々は反転器１０５のバーストゲートパルスの立ち下がりにより前のラッチの出力を入力する。複数の２２０の各々出力データＺ(nH ) 、Ｚ(nH -1) 、Ｚ(nH -2) …Ｚ(nH -N) は加算器２０１に入力されこれにより加算される。ここに、 nH は水平走査線の番号である。加算器２０１に図５、１７、１９、２１及び２２の係数記憶部１２０に代わり新たな係数記憶部１２０が設けられる。加算器２０１から係数記憶部１２０に出力データＺ’が出力される。加算器２０１の出力データＺ’が標準値Ｚｏ' からずれるにしたがって係数記憶部１２０の帰還係数Ｋが大きくなる。
【００３１】
図２６は本発明に係る、複数の水平走査期間でカラーバースト信号の劣化を検出する別の例を示す図である。本図に示す如く、図８及び１２の各々のラッチ１０４に複数（Ｎ個）のラッチ２００が直列に接続される。ラッチ２００の各々は反転器１０５のバーストゲートパルスの立ち下がりにより前のラッチの出力を入力する。複数のラッチ２００の各々出力データＺ(nH ) 、Ｚ(nH -1) 、Ｚ(nH -2) …Ｚ(nH -N) は最大値抽出部２０２に入力される。最大値抽出部２０２は複数のラッチ２００から入力される出力データの最大値Ｚを抽出する。最大値抽出部２０２に図８及び１２の係数記憶部１２０に代わり新たな係数記憶部１２０が設けられる。最大値抽出部２０２から係数記憶部１２０に出力データＺが出力される。最大値抽出部２０２の出力データＺが標準値Ｚｏからずれるにしたがって係数記憶部１２０の帰還係数Ｋが大きくなる。
【００３２】
図２７は本発明に係る、複数の水平走査期間でカラーバースト信号の劣化を検出する別の例を示す図である。本図に示す如く、図１０及び１４の各々のラッチ１０４に複数（Ｎ個）のラッチ２００が直列に接続される。ラッチ２００の各々は反転器１０５のバーストゲートパルスの立ち下がりにより前のラッチの出力を入力する。複数のラッチ２００の各々出力データＺ(nH ) 、Ｚ(nH -1) 、Ｚ(nH -2) …Ｚ(nH -N) は最小値抽出部２０３に入力される。最小値抽出部２０３は複数のラッチ２００から入力される出力データの最小値Ｚを抽出する。最小値抽出部２０３に図１０及び１４の係数記憶部１２０に代わり新たな係数記憶部１２０が設けられる。最小値抽出部２０３から係数記憶部１２０に出力データＺが出力される。最小値抽出部２０３の出力データＺが標準値Ｚｏからずれるにしたがって係数記憶部１２０の帰還係数Ｋが大きくなる。
【００３３】
次に、車載用テレビジョン受信機では移動環境によって急峻に映像信号が劣化する場合がある。
図２８は映像信号の急峻な劣化時における隣合う２つの水平走査期間の信号例を説明する図である。本図に示す如く、急峻な映像信号の劣化のため、正常であった映像信号が次の水平走査期間では激しく劣化することがある。この場合には、本発明を用いて、２つの水平期間でカラーバースト信号の劣化の差を検出してこの劣化の差で帰還係数Ｋを変更するようにしてもよい。
【００３４】
図２９は本発明に係る２つの水平走査期間でカラーバースト信号の劣化の差を検出する例を説明する図である。本図に示す如く、図５、８、１０、１２、１４、１７、１９、２１、２２のラッチ１０４にラッチ３００が設けられる。ラッチ３００はラッチ１０４の出力データを反転器１０５からのバーストゲートパルスの立ち下がりでラッチする。さらにラッチ１０４の出力データＺ(nH ) 、ラッチ３００のＺ(nH -1) が絶対値差分回路３０１に入力される。絶対値差分回路３０１はΔＺ＝｜Ｚ(nH ) −Ｚ(nH -1) ｜を求めて図５等の係数記憶部１２０に代わり新たに設けた係数記憶部１２０に出力する。絶対値差分回路３０１のΔＺが０からずれるにしたがって係数記憶部１２０の帰還係数Ｋが大きくなる。
【００３５】
【発明の効果】
以上の説明により本発明によれば、カラーバースト信号による劣化度合を水平走査を行う前にフレーム巡回型フィルタに帰還係数を設定するようにしたので、フレーム巡回型フィルタを映像信号が通過した後に帰還係数を設定するような応答遅れが無くなり、マルチパスに対して帰還係数設定の正確性が向上する。
【図面の簡単な説明】
【図１】本発明に係る映像信号処理回路の概略を説明する図である。
【図２】入力テレビジョン信号に対するクランプパルス及びバーストゲートパルスを説明する図である。
【図３】ペデスタルクランプ５の動作を説明する図である。
【図４】カラーバースト劣化検出部１０においてクロックジェネレータ８によるクロック信号でカラーバースト信号をラッチするポイントを説明する図である。
【図５】図１のカラーバースト劣化検出部１０の具体的な構成例を説明する図である。
【図６】図１の構成の動作を説明するタイミングチャートである。
【図７】ラッチ１０４の出力Ｚと帰還係数Ｋとの関係を説明する図である。
【図８】図５の変形例を説明する図である。
【図９】図８のラッチ１０４の出力Ｚを説明する図である。
【図１０】図８の変形例を説明する図である。
【図１１】図１０のラッチ１０４の出力信号Ｚを説明する図である。
【図１２】図８の変形例を説明する図である。
【図１３】図１２のラッチ１０４の出力信号Ｚを説明する図である。
【図１４】図１２の変形例を説明する図である。
【図１５】図１４のラッチ１０４の出力信号Ｚを説明する図である。
【図１６】図１３及び図１５の標準値ＺoH及びＺoLを説明する図である。
【図１７】図５のカラーバースト劣化検出部１０の具体的な別の構成例を説明する図である。
【図１８】図１７のラッチ１０４の出力信号を説明する図である。
【図１９】図１７の変形例を説明する図である。
【図２０】図１９のラッチ１０４の出力信号を説明する図である。
【図２１】図１のカラーバースト劣化検出部１０の具体的な別の構成例を説明する図である。
【図２２】図１７の変形例を説明する図である。
【図２３】図１９のラッチ１０４の出力信号を説明する図である。
【図２４】複数の水平走査期間のテレビジョン信号を示す図である。
【図２５】本発明に係る、複数の水平走査期間でカラーバースト信号の劣化を検出する例を示す図である。
【図２６】本発明に係る、複数の水平走査期間でカラーバースト信号の劣化を検出する別の例を示す図である。
【図２７】本発明に係る、複数の水平走査期間でカラーバースト信号の劣化を検出する別の例を示す図である。
【図２８】映像信号の急峻な劣化時における隣合う２つの水平走査期間の信号例を説明する図である。
【図２９】本発明に係る２つの水平走査期間でカラーバースト信号の劣化の差を検出する例を説明する図である。
【図３０】従来のノイズリダクション回路の概略を説明する図である。
【図３１】１つの水平走査を行う期間のテレビジョン信号を説明する図である。
【符号の説明】
１、２、３、４…フレーム巡回型フィルタ
９…クロックジェネレータ
１０…カラーバースト検出部
１０１、１０４、１０８、１１２、２００、３００…ラッチ
１０２…絶対値差形成部
１０３、１１１、２０１…加算器
１０５…反転器
１０６、１０９…比較部
１０７…スイッチ
１１０、１１３…カウンタ
１２０…係数記憶部
２０２…最大値抽出回路
２０３…最小値抽出回路
３０１…絶対値差分回路
【図１】
0003957387.tif 000002
【図２】
0003957387.tif 000003
【図３】
0003957387.tif 000004
【図４】
0003957387.tif 000005
【図５】
0003957387.tif 000006
【図６】
0003957387.tif 000007
【図７】
0003957387.tif 000008
【図８】
0003957387.tif 000009
【図９】
0003957387.tif 000010
【図１０】
0003957387.tif 000011
【図１１】
0003957387.tif 000012
【図１２】
0003957387.tif 000013
【図１３】
0003957387.tif 000014
【図１４】
0003957387.tif 000015
【図１５】
0003957387.tif 000016
【図１６】
0003957387.tif 000017
【図１７】
0003957387.tif 000018
【図１８】
0003957387.tif 000019
【図１９】
0003957387.tif 000020
【図２０】
0003957387.tif 000021
【図２１】
0003957387.tif 000022
【図２２】
0003957387.tif 000023
【図２３】
0003957387.tif 000024
【図２４】
0003957387.tif 000025
【図２５】
0003957387.tif 000026
【図２６】
0003957387.tif 000027
【図２７】
0003957387.tif 000028
【図２８】
0003957387.tif 000029
【図２９】
0003957387.tif 000030
【図３０】
0003957387.tif 000031
【図３１】
0003957387.tif 000032